(57)【要約】【課題】画像が印刷された記録媒体をコピーするとき、画像を劣化させることなく出力するとともに、画像を自由にレイアウトして出力する。【解決手段】表面に画像が印刷された記録媒体の裏面に、表面の画像を構成する画像データの保存先を示す付加情報が２次元コードとして印刷される。画像を上向きにして、複数の記録媒体が原稿台に載置される。２次元コードが読み取られると、２次元コードから得た付加情報に基づき、保存先にアクセスして、画像データを取得する。画像データから生成された画像が記録媒体の配置と同じようにページ上に配置される。このページが印刷されると、原稿台に並べられた画像と同じレイアウトの画像が出力される。【選択図】図５
2009206577.tif 000002
【特許請求の範囲】
【請求項１】
画像が印刷された記録媒体から取得した画像を出力する画像処理装置であって、記録媒体に、印刷する画像のデータ保存先のアドレス情報を含む付加情報が付加され、原稿台に載置された記録媒体から付加情報を読み取る付加情報読取部と、付加情報に基づいて画像データを取得する取得部と、画像データから生成された画像を原稿台上の記録媒体の位置に対応するようにページ上に配置して、このページを出力する画像出力部とを備えたことを特徴とする画像処理装置。
【請求項２】
複数の記録媒体が原稿台に載置されたとき、画像出力部は、各記録媒体の配置と同じように各記録媒体の画像をレイアウトすることを特徴とする請求項１記載の画像処理装置。
【請求項３】
読取部は、原稿台に対する付加情報の所在位置を検出し、画像出力部は、付加情報の所在位置に応じて画像をページ上に配置することを特徴とする請求項２記載の画像処理装置。
【請求項４】
記録媒体の表面に画像が印刷され、原稿台に記録媒体の表面を上向きに載置したとき、画像出力部は、原稿台に載置された記録媒体を上から見た通りに画像を出力するように、画像をページ上に配置することを特徴とする請求項２または３記載の画像処理装置。
【請求項５】
記録媒体の表面に画像が印刷され、裏面に付加情報が付加されたことを特徴とする請求項４記載の画像処理装置。
【請求項６】
画像出力部は、検出された付加情報の所在位置を左右反転あるいは上下反転して、反転後の位置に対応するように画像をページ上に配置して、このページを用紙に印刷して出力することを特徴とする請求項５記載の画像処理装置。
【請求項７】
付加情報は２次元コードによって表されたことを特徴とする請求項２記載の画像処理装置。
【請求項８】
付加情報を記録媒体に付加する付加部を備えたことを特徴とする請求項２または３記載の画像処理装置。
【請求項９】
付加部は、付加情報を記録媒体上の定められた位置に付加することを特徴とする請求項８記載の画像処理装置。
【請求項１０】
入力された画像データに基づいて、記録媒体に画像を印刷するとき、付加部は、画像データの保存先に対する付加情報を作成し、記録媒体に付加することを特徴とする請求項８記載の画像処理装置。
【発明の詳細な説明】
【技術分野】
【０００１】
本発明は、写真、グラフィックスといった画像を印刷するのに適した画像処理装置に関する。
【背景技術】
【０００２】
画像処理装置は、コピーを行うとき、原稿等から画像を読み取って、この画像を用紙に印刷する。写真やグラフィックスのような画像をコピーする場合、元の画像に比べて、印刷された画像は劣化している。この劣化は、用紙の画像を一旦読み取って、画像処理してから出力するために生じる。
【０００３】
そこで、読み取った画像を直接出力せずに、画像データに基づいて画像を出力することが行われている。例えば、特許文献１に記載のように、原稿等の記録媒体に２次元コードを付与し、２次元コードをスキャナによって読み取る。そして、処理装置が２次元コードを解析して、得られた情報に基づいて画像を生成して、この画像を用紙に印刷する。このようにすれば、写真等の画像をコピーする場合であっても、この画像を構成する画像データから生成された画像を直接印刷できるので、画像の劣化は生じない。
【特許文献１】特開２００７−８１６５０号公報
【発明の開示】
【発明が解決しようとする課題】
【０００４】
ところで、画像処理時に、画像データから生成された画像は、ページ上に配置される。このページが用紙に印刷される。しかし、画像は自動的に配置され、任意の位置に決めることができない。例えば、複数の写真を並べて印刷する場合、ユーザが望むようなレイアウトにすることができない。
【０００５】
本発明は、上記に鑑み、画像を劣化させることなく出力するとともに、画像を自由にレイアウトして出力できる画像処理装置の提供を目的とする。
【課題を解決するための手段】
【０００６】
本発明は、画像が印刷された記録媒体から取得した画像を出力する画像処理装置であって、記録媒体に、印刷する画像のデータ保存先のアドレス情報を含む付加情報が付加され、原稿台に載置された記録媒体から付加情報を読み取る付加情報読取部と、付加情報に基づいて画像データを取得する取得部と、画像データから生成された画像を原稿台上の記録媒体の位置に対応するようにページ上に配置して、このページを出力する画像出力部とを備えたものである。
【０００７】
付加情報読取部は、記録媒体から画像を読み取り、画像中の付加情報を抽出する。付加情報は、例えば２次元コードで表わされる。取得部は、付加情報からアドレス情報を読み出す。そして、アドレス情報に基づいて画像データの保存先にアクセスする。取得部は、画像データを要求して、送られてきた画像データを受け取る。画像出力部は、画像データから生成した画像を出力する。
【０００８】
このように、付加情報を読み取ることにより、記録媒体の画像を直接読み取って出力せずに、画像の元である画像データから生成した画像を出力することができる。そのため、記録媒体に印刷された画像と同じ画質の画像が得られる。
【０００９】
複数の記録媒体が原稿台に載置されたとき、画像出力部は、各記録媒体の配置と同じように各記録媒体の画像をレイアウトする。ユーザが記録媒体を配置した通りに、画像がレイアウトされて出力される。
【００１０】
読取部は、原稿台に対する付加情報の所在位置を検出し、画像出力部は、付加情報の所在位置に応じて画像をページ上に配置する。画像の代わりに付加情報が読み取られる。この付加情報の所在位置が画像の位置に対応するので、所在位置に応じて画像をページ上に配置すれば、原稿台上に並べられた画像と同じようにレイアウトされた画像が得られる。
【００１１】
記録媒体の表面に画像が印刷され、原稿台に記録媒体の表面を上向きに載置したとき、画像出力部は、原稿台に載置された記録媒体を上から見た通りに画像を出力するように、画像をページ上に配置する。ユーザの希望するレイアウトで画像を並べることにより、上から見た通りのレイアウトで画像が出力される。
【００１２】
記録媒体の表面に画像が印刷され、裏面に付加情報が付加される。記録媒体を上向きに載置したとき、裏面の付加情報が読み取られる。このとき、記録媒体の裏面が読み取られるので、出力される画像は、上向きに置かれたときの画像とは左右が逆転した画像となる。そこで、画像出力部は、検出された付加情報の所在位置を左右反転あるいは上下反転して、反転後の位置に対応するように画像をページ上に配置して、このページを用紙に印刷して出力する。なお、上下左右の反転は、記録媒体の縦置き、横置きによって決まる。
【００１３】
付加情報を記録媒体に付加する付加部を備える。そして、付加部は、付加情報を記録媒体上の定められた位置に付加する。付加情報の付加位置は、いずれの記録媒体に対しても一定の位置となる。付加位置を検出すれば、記録媒体の載置位置がわかり、画像を配置するときの位置を特定できる。
【００１４】
入力された画像データに基づいて、記録媒体に画像を印刷するとき、付加部は、画像を構成する画像データの保存先に対する付加情報を作成し、記録媒体に付加する。付加部は、画像データの保存先のアドレス情報を取得し、アドレス情報を含む付加情報を作成する。付加情報に、画像に関連する情報を含めてもよい。
【発明の効果】
【００１５】
本発明によると、写真のような画像をコピーするとき、直接画像をコピーするのではなく、画像を構成する画像データに基づいて作成した画像を出力するので、元の画像と同じ画質で画像を出力でき、画像の劣化を防げる。そして、画像を直接読み取らなくても画像を出力できるので、原稿台に並べた通りの画像を出力することができる。したがって、ユーザは原稿台上で自由に画像のレイアウトを確かめることができ、編集作業を容易に行える。
【発明を実施するための最良の形態】
【００１６】
本実施形態の画像処理装置を図１に示す。本画像処理装置は、コピー、プリント、スキャン、ファクシミリ通信およびドキュメントファイリングを行うデジタル複合機である。画像処理装置は、原稿を読み取って画像を入力する画像読取部１と、ユーザの入力を受け付ける操作部２と、入力された画像の印刷を行う画像形成部３と、画像を保存するハードディスク装置４と、外部装置とのデータ通信を行う通信部５と、ファクシミリ装置６と通信するためのＦＡＸモデム７と、装置全体の制御情報や設定情報等を記憶している管理部８と、装置全体の制御を司るＣＰＵからなる機器制御部９とを備えている。
【００１７】
画像読取部１は、ＣＣＤ１０といった撮像素子と、原稿台や自動原稿送り装置（ＡＤＦ）にセットされた原稿を検知する原稿検知センサ１１とを有する。原稿検知センサ１１により、原稿が検出されると、ＣＣＤ１０は、信号発生回路１２からの信号に同期して、原稿の画像を読み取る。読み取られた画像は画像形成部３に出力される。複数ページの原稿の場合、画像読取部１は、１ページずつ読み取っていく。
【００１８】
操作部２は、図２に示すように、各種入力キーからなる入力部１３と、液晶ディスプレイ等の表示部１４とを有し、これらは操作パネル１５に設けられる。表示部１４は、タッチパネル１６を有し、入力部としても機能する。操作部２において、装置全体の操作指示や各種設定の入力が行われ、入力内容や装置全体の動作状況が表示される。
【００１９】
画像形成部３は、入力された画像データを記憶する揮発性のメモリ２０と、レーザ走査ユニット（ＬＳＵ）を有する印字部２１と、手差しトレイ、カセットトレイを備えた給紙部と、排紙トレイを備えた排紙部と、暗号化復号化部２２とを有する。
【００２０】
メモリ２０は、入力された画像を一時的に蓄積する。画像処理部２５は、メモリ２０内の画像に対して、圧縮、伸張、加工等の画像処理を行う。画像処理された画像は、印字部２１、ハードディスク装置４あるいは機器制御部９に出力される。
【００２１】
ハードディスク装置４は、入力された画像を一時的に記憶する。暗号化復号化部２２は、メモリ２０に記憶された画像に対して暗号化処理あるいは復号化処理を行う。ハードディスク装置４に画像を記憶するとき、暗号化復号化部２２によって、画像が暗号化される。また、ハードディスク装置４から画像を読み出すとき、暗号化復号化部２２によって、画像が復号化され、画像は、一旦メモリ２０に記憶される。なお、画像を記憶する記憶部として、ハードディスク装置４を設けているが、この代わりに、不揮発性のメモリ、バックアップ機能付きのメモリ、光ディスクといった光学記憶媒体を利用してもよい。
【００２２】
印字部２１では、電子写真方式により印刷を行う。画像がレーザ走査ユニットに入力されると、レーザ光により感光体表面が走査され、静電潜像が感光体上に形成される。静電潜像がトナーによって現像され、感光体上にトナー像が形成される。給紙部から供給された用紙にトナー像が転写され、トナー像が用紙上に定着される。このように画像が印刷された用紙は、排紙トレイに排出される。
【００２３】
消去部２６は、ハードディスク装置４に記憶された画像を消去する。コピー等の処理が終了したとき、画像は消去される。このとき、消去部２６は、ランダムなデータや無意味なデータを上書きしたりして、記憶されていた画像を読み取り不可能にして、元の画像を再現できないように無効化する。
【００２４】
通信部５は、ＬＡＮケーブルを介してルータ、スイッチングハブ等に接続され、パソコン、サーバ等の情報処理装置３０や他の画像処理装置といった外部装置によって形成されたネットワークと接続される。ネットワークは、電話回線網や光ファイバ等の通信回線を介してインターネットに接続される。通信部５は、ネットワーク内の情報処理装置３０や画像処理装置とデータの送受信を行うとともに、インターネットを通じて外部の情報処理装置３０とデータや電子メールの送受信を行う。さらに、インターネットを通じてファクシミリ装置３１とインターネットファクシミリ通信も行う。ＦＡＸモデム７は、電話線を介して電話回線網に接続され、外部のファクシミリ装置６とファクシミリ通信を行う。
【００２５】
通信部５およびＦＡＸモデム７は、情報処理装置３０やファクシミリ装置６、３１といった外部装置から画像を受信して入力する。また、通信部５およびＦＡＸモデム７は、画像を外部装置に送信する。
【００２６】
機器制御部９は、入力された画像に対してユーザによって指示された処理を実行する。すなわち、操作部２からの入力や外部装置からのデータ入力に応じて、管理部８に記憶されている情報に基づいて各部を制御して、入力された画像を処理する。すなわち、コピー、プリント、スキャン、ファクシミリ通信、ドキュメントファイリングといった処理が実行され、画像が所望の形態で出力される。
【００２７】
コピーを行う場合、画像読取部１により読み取られた原稿の画像は、一旦メモリ２０に蓄積され、暗号化された後、ハードディスク装置４に一時的に記憶される。そして、ハードディスク装置４の画像が所定のタイミングで読み出される。ハードディスク装置４から暗号化された画像を読み出すとき、暗号化復号化部２２は、画像を復号化する。この画像は、一旦メモリ２０に記憶される。操作部２から入力された指示にしたがって、画像処理部２５は、画像に対して画像処理を行う。
【００２８】
メモリ２０に記憶された画像は、レーザ走査ユニットの書き込みタイミングに合わせて、メモリ２０から印字部２１に転送される。画像が複数のページからなる場合、ページ毎に画像が順次転送される。印字部２１により、画像が供給された用紙に印刷され、用紙が排紙トレイに排出される。
【００２９】
プリントを行う場合、通信部５が外部装置からの画像を受信すると、機器制御部９は、入力された画像をページ単位でメモリ２０に一旦蓄積してから、ハードディスク装置４に記憶させる。機器制御部９は、ハードディスク装置４から読み出した画像をメモリ２０に転送し、画像形成部３を制御して印刷を行う。１ページずつ画像が用紙に印刷される。
【００３０】
スキャンを行う場合、画像読取部１は、原稿の画像を読み取り、機器制御部９は、入力された画像を一旦メモリ２０に蓄積してからハードディスク装置４に記憶させる。そして、機器制御部９は、ハードディスク装置４から画像を読み出し、メモリ２０に記憶していから、指定された外部装置宛に画像を出力する。通信部５は、指定された外部装置との通信を確立して、画像を送信する。
【００３１】
ファクシミリによる送信を行う場合、機器制御部９は、画像読取部１から入力された画像をＦＡＸモデム７に出力する。ＦＡＸモデム７は、指定されたファクシミリ装置６と通信を確立して、符号化した画像をファクシミリ装置６に送信する。
【００３２】
さらに、ファクシミリによる受信を行う場合、ＦＡＸモデム７は、ファクシミリ装置６からの着呼を受けると、発呼側のファクシミリ装置６との通信を確立し、画像を受信して、画像を復号化する。機器制御部９は、ＦＡＸモデム７を通じて入力された画像を一旦メモリ２０に蓄積してから、ハードディスク装置４に記憶させる。そして、機器制御部９は、ハードディスク装置４から読み出した画像を印字部２１に転送する。印字部２１は、画像を用紙に印刷する。
【００３３】
ドキュメントファイリングを行う場合、機器制御部９は、画像読取部１あるいは通信部５を通じて入力された画像をハードディスク装置４に記憶させる。このとき、画像は、暗号化されて記憶される。
【００３４】
本画像処理装置は、写真やグラフィックス等の画像を劣化させることなく、印刷等によって出力するために、出力したい画像を構成する画像データを利用して、画像を生成して出力する画像出力モードを有している。
【００３５】
画像出力モードを実行するために、図３に示すように、機器制御部９は、原稿台に載置された記録媒体から付加情報を読み取る付加情報読取部３０と、付加情報に基づいて画像データを取得する取得部３１と、画像データから画像を生成して、所定の形態で画像を出力する画像出力部３２と、付加情報を記録媒体に付加する付加部３３とを備えている。そして、画像出力部３２は、画像データから生成された画像を原稿台上の記録媒体の位置に対応するようにページ上に配置して、このページを出力する。
【００３６】
図４に示すように、記録媒体は、写真やグラフィックスといった画像が印刷された用紙やシートである。記録媒体に付加される付加情報には、画像のデータ保存先のアドレス情報が含まれている。付加情報は、コード化されて、ＱＲコードのような２次元コードによって表される。そして、記録媒体の表面に、画像が印刷され、裏面に２次元コードが印刷される。
【００３７】
付加部３３は、印字部２１を制御して、画像を記録媒体に印刷するときに、付加情報を付加する。印刷される画像が情報処理装置３０あるいは他の画像処理装置等の外部装置から入力される場合、画像データは、外部装置に保存されている。付加部３３は、通信部５を通じて外部装置と通信を行い、画像データの保存先のアドレス情報を取得する。アドレス情報は、装置名、ドライブ名、フォルダ名およびファイル名によって構成される。なお、アドレス情報は、ＵＲＬであってもよい。また、印刷される画像が自装置内のハードディスク装置４に保存されている場合、付加部３３は、印刷の指示があったときに、アドレス情報を自動的に取得する。
【００３８】
そして、付加部３３は、アドレス情報に基づいて付加情報を作成し、コード化処理により付加情報をコード化して、２次元コードを作成する。そして、この２次元コードを印字部２１に出力する。２次元コードが記録媒体に印刷されることにより、付加情報が記録媒体に付加される。このとき、付加部３３は、２次元コードを記録媒体上の定められた付加位置に付加する。例えば、２次元コードが記録媒体の裏面の中央に印刷されるように、付加部３３は、印字部２１に２次元コードの付加位置を指示する。
【００３９】
付加情報読取部３０は、画像読取部１によって読み取られた記録媒体の画像から付加情報を抽出する。すなわち、付加情報読取部３０は、読み取って入力された画像の中から２次元コードの画像を探し出し、２次元コードをデコードして、付加情報を取り出す。付加情報はメモリ２０に記憶される。
【００４０】
取得部３１は、付加情報からアドレス情報を取得して、保存先にアクセスして、画像データを取得する。保存先が外部装置の場合、取得部３１は、通信部５を通じて外部装置にアクセスし、指定の画像データの送信を要求する。そして、外部装置から送信された画像データを受け取る。画像データは、一旦メモリ２０に記憶され、その後ハードディスク装置４に保存される。自装置内に保存されている場合、取得部３１は、ハードディスク装置４から画像データを読み出し、メモリ２０に記憶する。
【００４１】
画像出力部３２は、画像データから生成した画像をメモリ２０内に形成されるページに展開して、出力用のページを作成する。このとき、図５に示すように、画像出力部３２は、原稿台に載置された記録媒体の位置と同じになるように、画像をレイアウトする。
【００４２】
記録媒体の位置は、画像読取部１によって検出される。ここでは、記録媒体の表面を上向きにして、複数の記録媒体が載置される。そのため、画像読取部１は、各記録媒体の裏面の画像を読み取る。裏面には２次元コードが印刷されているので、画像として２次元コードが読み取られる。付加情報読取部３０は、読み取った画像から２次元コードの所在位置を検出する。２次元コードは記録媒体に対して定められた位置に付加されるので、所在位置は記録媒体の位置として代用できる。２次元コードの所在位置は、原稿台上における記録媒体の位置に対応している。画像出力部３２は、２次元コードの所在位置に基づいて画像の位置を決める。
【００４３】
ところで、原稿台に複数の記録媒体を上向きに載置したとき、記録媒体の位置と検出された２次元コードの所在位置とは、左右あるいは上下が逆になる。画像出力部３２は、このことを考慮して、画像をページ上に作成するとき、所在位置を左右反転あるいは上下反転させ、反転後の位置に合わせて画像を配置する。なお、記録媒体が原稿台に対して縦置きされたとき、左右反転が行われ、横置きされたとき、上下反転が行われる。これにより、画像が印刷されたとき、原稿台に載置された記録媒体を上から見た通りに配置された画像が得られる。
【００４４】
１つの記録媒体が載置された場合、同様にページ上で、載置する向きに応じて所在位置が左右反転あるいは上下反転され、反転後の位置に画像が配置される。
【００４５】
次に、画像出力モードを行うために必要な記録媒体を作成するときの動作を具体的に説明する。ユーザがデジタルカメラ等の撮影機器によって撮影すると、画像データが生成される。画像データは、パソコン等の情報処理装置３０に保存される。あるいは、画像データがメモリカード、ＵＳＢメモリ等の記憶媒体に保存されている場合、ユーザは、記憶媒体から情報処理装置３０や画像処理装置に画像データを転送して保存する。
【００４６】
図６に示すように、ユーザが写真画像を印刷する操作を行う（Ｓ１）と、情報処理装置３０は、プリンタドライバを起動して、保存されている画像データを呼び出し、印刷データを作成する。情報処理装置３０は、印刷データを画像処理装置に送信する。このとき、情報処理装置３０は、画像データの保存先に関するアドレス情報を指定し、印刷データに含める（Ｓ２）。
【００４７】
画像処理装置では、機器制御部９が印刷データを受け取ると、プリントの開始を指示する（Ｓ３）。付加部３３は、印刷データからアドレス情報を収集し、コード化して、２次元コードを作成する（Ｓ４）。印字部２１は、記録媒体である用紙の表面に写真画像を印刷し、裏面の中央に２次元コードを印刷する（Ｓ５）。
【００４８】
このようにして、写真画像に関する付加情報が付加された記録媒体が作成される。ユーザは、この写真画像を印刷するとき、図５に示すように、原稿台に写真画像を上向きにして複数の記録媒体を載置する。ユーザは、並べた画像を確認しながら、希望するレイアウトになるように画像を並べることができる。これにより、複数の記録媒体は、ユーザの意図した通りにレイアウトされる。
【００４９】
図７に示すように、ユーザがこの写真画像を印刷する操作を行う（Ｓ１）と、画像読取部１は、原稿台の記録媒体の画像を読み取る。付加情報読取部３０は、入力された画像から２次元コードを読み取る（Ｓ２）。そして、２次元コードを解読して、アドレス情報を読み出す。
【００５０】
取得部３１は、アドレス情報に基づいて、保存先の外部装置にアクセスして、画像データを要求する。画像データの保存先が異なるとき、取得部３１は、各保存先の外部装置に要求する。外部装置は、指定された画像データを画像処理装置に送信する。取得部３１は、画像データを受け取ることによって、画像データを取得する（Ｓ３）。
【００５１】
画像出力部３２は、画像データから生成した画像をページ上に配置する。すなわち、画像出力部３２は、付加情報読取部３０によって検出された２次元コードの所在位置に基づいて、画像の位置を決め、複数の画像をレイアウトする（Ｓ４）。そして、画像出力部３２は、複数の画像が配置されたページを印字部２１に出力する。印字部２１は、複数の写真画像が並べられた画像を用紙に印刷する（Ｓ５）。
【００５２】
印刷された用紙には、図５に示すように、原稿台に並べた写真画像と同じようにレイアウトされた画像が印刷される。この写真画像は画像データから直接印刷された画像であるので、元の画像と同じ画質であり、画像の劣化はない。そして、ユーザは思い通りに記録媒体を配置することにより、画像のレイアウトを自由にできる。したがって、アルバムや資料の編集作業を容易に行える。しかも、記録媒体の裏面の２次元コードだけを読み取るので、読取処理が速くなり、出力するまでの時間を短縮できる。
【００５３】
また、記録媒体に印刷される画像は、文章、グラフ、図等であってもよい。このような画像が印刷された記録媒体をレイアウトすることにより、例えばプレゼンテーションや会議等で用いる発表用資料を容易に作成することができる。
【００５４】
ところで、原稿台に複数の記録媒体を並べて載置し、作成したページを印刷して出力するとき、１枚の用紙に収まらない場合、画像出力部は、縮小した画像をページ上に配置する。用紙のサイズに合わせて、印刷することができる。
【００５５】
なお、本発明は、上記実施形態に限定されるものではなく、本発明の範囲内で上記実施形態に多くの修正および変更を加え得ることは勿論である。上記では、画像出力部は、画像を印刷して出力するが、これに限らず、画像出力部は、ページに配置された画像を画像データとして、外部装置に出力したり、自装置のハードディスク装置に出力してもよい。
【００５６】
付加情報の付加位置として、記録媒体の４隅のうちの１隅としてもよい。また、付加情報を画像と同じ面に付加してもよい。このとき、付加位置は、記録媒体の余白とする。
【００５７】
付加情報を２次元コードで表す代わりに、文字で表してもよい。この場合、付加情報読取部は、ＯＣＲ処理によって読み取った画像からアドレス情報を示す文字を識別する。さらに、付加情報として、画像に関連する情報を加えてもよい。例えば、画像の説明やコメントを加える。そして、画像を出力するとき、画像とともに追加した情報を印刷等によって出力する。
【００５８】
ＩＣタグを利用して、付加情報を付加してもよい。ＩＣタグが埋め込まれた用紙やカードといった記録媒体を用い、画像処理装置は、リーダライタを備える。リーダライタは、ＩＣタグに付加情報を書き込むとともに、付加情報を読み出す。また、付加情報を記憶したＩＣタグを記録媒体に貼り付けることによって、付加情報を付加してもよい。
【図面の簡単な説明】
【００５９】
【図１】本発明の画像処理装置の概略構成を示す図
【図２】操作パネルを示す図
【図３】画像処理装置の制御ブロック図
【図４】写真画像を印刷した記録媒体の裏面に付加された付加情報を示す図
【図５】記録媒体の配置例と印刷された画像を示す図
【図６】記録媒体に付加情報を付加するときのフローチャート
【図７】付加情報を付加された記録媒体を印刷するときのフローチャート
【符号の説明】
【００６０】
１    画像読取部
２    操作部
３    画像形成部
４    ハードディスク装置
５    通信部
９    機器制御部
２１    印字部
２５    画像処理部
３０    付加情報読取部
３１    取得部
３２    画像出力部
３３    付加部
【図１】
2009206577.tif 000003
【図２】
2009206577.tif 000004
【図３】
2009206577.tif 000005
【図４】
2009206577.tif 000006
【図５】
2009206577.tif 000007
【図６】
2009206577.tif 000008
【図７】
2009206577.tif 000009